(57)【要約】【課題】注射針形成体における針の吐出口を容易に方向付ける技術を提供する。【解決手段】注射器本体の先端部に装着される注射針形成体は、先端の吐出口に長手方向に垂直な方向があり、断面の外周形状にも長手方向に垂直な方向があり、前記吐出口の方向と前記外周形状の方向が所定の相対関係に規定された１本以上の中空針と、内部空間を有する円柱形状を有し、前方端が有孔当接面で覆われ、後方端に前記注射器本体を取り付ける開口があり、前記有孔当接面から前記内部空間まで前記中空針を貫通させる針取付孔が配設され、前記針取付孔の内周形状には前記中空針の外周形状に対応して方向があり、前記針取付孔は前記有孔当接面側から見て所定の方向に方向付けされている形成体本体と、を有している。【選択図】図１
2019180835.tif 000002
【特許請求の範囲】
【請求項１】
注射器本体の先端部に装着される注射針形成体であって、
先端の吐出口に長手方向に垂直な方向があり、断面の外周形状にも長手方向に垂直な方向があり、前記吐出口の方向と前記外周形状の方向が所定の相対関係に規定された中空針と、
内部空間を有する円柱形状を有し、前方端が有孔当接面で覆われ、後方端に注射器本体を取り付ける開口があり、前記有孔当接面から前記内部空間まで前記中空針を貫通させる針取付孔が配設され、前記針取付孔の内周形状には前記中空針の外周形状に対応して方向があり、前記針取付孔は前記有孔当接面側から見て所定の方向に方向付けされている形成体本体と、
を有する注射針形成体。
【請求項２】
前記中空針の前記外周形状と前記針取付孔の前記内周形状とは共に断面方向尖頂部を有し、
前記針取付孔が前記内周形状の断面方向尖頂部を前記有孔当接面における内側に向けて配設されている、
請求項１に記載の注射針形成体。
【請求項３】
前記中空針の先端は、前記断面方向尖頂部が前記中空針の長手方向に最も長くなるように、前記中空針の長手方向に対して傾斜した勾配面となっている、請求項２に記載の注射針形成体。
【請求項４】
前記中空針の前記断面方向尖頂部は所定の曲率を有する曲線形状である、請求項２に記載の注射針形成体。
【請求項５】
前記針取付孔に前記中空針を取り付けると、前記中空針の前記吐出口が前記有孔当接面の外側に向くように、前記有孔当接面における前記針取付孔が方向付けされている、請求項１に記載の注射針形成体。
【請求項６】
前記形成体本体は、前記針取付孔に挿入される前記中空針の液流路と前記形成体本体の内部空間とを連通させつつ前記中空針の後端の前記断面方向尖頂部を含む一部と当接して前記中空針の挿入深さを規定するストッパ部を有する、請求項２に記載の注射針形成体。
【請求項７】
前記中空針の前記外周形状と前記針取付孔の前記内周形状とは共に涙形であり、
前記針取付孔が前記涙形の頂点を前記有孔当接面における内側に向けて配設されている、
請求項２に記載の注射針形成体。
【請求項８】
前記中空針の前記外周形状と前記針取付孔の前記内周形状とは共に二等辺三角形であり、
前記針取付孔が前記二等辺三角形の頂点を前記有孔当接面における内側に向けて配設されている、
請求項２に記載の注射針形成体。
【請求項９】
注射器本体に取り付けられる注射針形成体に用いられる注射用中空針において、
先端の吐出口に長手方向に垂直な方向があり、断面の外周形状にも長手方向に垂直な方向があり、前記吐出口の方向と前記外周形状の方向が所定の相対関係に規定されていることを特徴とする、注射用中空針。
【請求項１０】
前記中空針の前記外周形状と前記針取付孔の前記内周形状とは共に断面方向尖頂部を有する、請求項９に記載の注射用中空針。
【請求項１１】
前記中空針の先端は、前記断面方向尖頂部が前記中空針の長手方向に最も長くなるように、前記中空針の長手方向に対して傾斜した勾配面となっている、請求項１０に記載の注射用中空針。
【請求項１２】
前記中空針の前記断面方向尖頂部は所定の曲率を有する曲線形状である、請求項１０に記載の注射用中空針。
【請求項１３】
前記中空針の前記外周形状と前記針取付孔の前記内周形状とは共に涙形である、
請求項１０に記載の注射用中空針。
【請求項１４】
前記中空針の前記外周形状と前記針取付孔の前記内周形状とは共に二等辺三角形である、
請求項１０に記載の注射用中空針。
【発明の詳細な説明】
【技術分野】
【０００１】
本発明は、注射器先端の注射針形成体に関する。
【背景技術】
【０００２】
薬液を皮下組織に経皮投与する注射方法がある。注射には、注射針の皮膚への挿入や薬液の皮下組織への注入による痛みの問題がある。注射の痛みを緩和するために、細い針を用いられる場合がある。さらに、細い針で所望の薬液供給量を確保するために複数本の針を用いる技術もある。例えば、特許文献１には、形成体本体から複数本の針を突出させたニードル形成体（注射針形成体）が開示されている。針の突出寸法により、薬液を供給する位置の皮膚表面からの深さを規定でき、目的とする皮下組織層に正確に薬液を供給することが可能である。
【０００３】
特許文献１に開示された注射針形成体は、各針の先端を針の長手方向に対して斜めに切断することにより、針先に傾斜勾配面が形成されている。そのため、薬液を吐出する吐出口は、各針の径方向における傾斜勾配面が向いている方向に向く。各針は皮膚から概ね垂直に人体に挿入されるので、薬液は吐出口の向いている方向により多く拡散する。そのため、この種の注射針では所望の範囲に所望量の薬液を注入し、皮下組織内における薬液の広がりを安定させために、各針の吐出口が所望の方向に規定される。
【先行技術文献】
【特許文献】
【０００４】
【特許文献１】特表２０１４−５１３５５８号公報
【発明の概要】
【発明が解決しようとする課題】
【０００５】
特許文献１に記載された注射針形成体では、各針は吐出口が所定の方向を向くように形成体本体に取り付けられている。しかしながら、複数本の針を備えた注射針形成体の製造工程において、吐出口が所望の方向に向くように各針を形成体本体に取り付けていくのは、手作業で行うにしても製造装置で行うにしても容易なことではなく、コスト増になっている。針の本数が増えれば、それだけ製造コストが増大する。
【０００６】
本発明の目的は、注射針形成体における針の吐出口を容易に方向付ける技術を提供することである。
【課題を解決するための手段】
【０００７】
本発明の実施態様に従う注射針形成体は、注射器本体の先端部に装着される注射針形成体であって、先端の吐出口に長手方向に垂直な方向があり、断面の外周形状にも長手方向に垂直な方向があり、吐出口の方向と外周形状の方向が所定の相対関係に規定された中空針と、内部空間を有する円柱形状を有し、前方端が有孔当接面で覆われ、後方端に注射器本体を取り付ける開口があり、有孔当接面から内部空間まで中空針を貫通させる針取付孔が配設され、針取付孔の内周形状には中空針の外周形状に対応して方向があり、針取付孔は有孔当接面側から見て所定の方向に方向付けされている形成体本体と、を有している。
【０００８】
本発明の実施態様に従う注射用中空針は、注射器本体に取り付けられる注射針形成体に用いられる注射用中空針において、先端の吐出口に長手方向に垂直な方向があり、断面の外周形状にも長手方向に垂直な方向があり、前記吐出口の方向と前記外周形状の方向が所定の相対関係に規定されていることを特徴としている。
【発明の効果】
【０００９】
本発明によれば、中空針の吐出口と断面形状に互いに固定された方向性があり、更に形成体本体の針取付孔も方向付けされているので、形成体本体の針取付孔に中空針を挿入することで、中空針の吐出口を所定の方向に向けることができる。
【図面の簡単な説明】
【００１０】
【図１】実施例１による注射針形成体１０の斜視図である。
【図２】実施例１による中空針１２の斜視図である。
【図３】実施例１による中空針１２を長軸方向に垂直に切断した断面図である。
【図４】注射針形成体１０を含む注射器９の構成を示す図である。
【図５】第１工程を説明するための図である。
【図６】第２工程後の注射針形成体１０の斜視図である。
【図７】実施例１の注射針形成体１０を先端側から見た平面図である。
【図８】注射針形成体１０の断面図である。
【図９】実施例１の変形例の注射針形成体１０を先端側から見た平面図である。
【図１０】実施例２による形成体本体１１を先端側から見た平面図である。
【図１１】実施例２による中空針１２を先端側から見た平面図である。
【図１２】変形例におけるストッパ部を備えた基台１１Ａを表面部２７側から見た平面図である。
【図１３】変形例の基台１１ＡのＡ−Ａ断面図である。
【図１４】実施例３による形成体本体１１を先端側から見た平面図である。
【図１５】実施例３による中空針１２を先端側から見た平面図である。
【発明を実施するための形態】
【００１１】
以下、本発明の実施例による注射針形成体について図面を参照して説明する。
【実施例１】
【００１２】
図１は、実施例１による注射針形成体１０の斜視図である。図２は、実施例１による中空針１２の斜視図である。図３は、実施例１による中空針１２を長軸方向に垂直に切断した断面図である。図４は、注射針形成体１０を含む注射器９の構成を示す図である。
【００１３】
実施例１による注射針形成体１０は形成体本体１１と複数の中空針１２とを有している。更に、形成体本体１１は互いに着脱可能な基台１１Ａとカバー１１Ｂで構成されている。カバー１１Ｂは形成体本体１１の先端側をなす部材であり、基台１１Ａは形成体本体１１の後端側をなす部材である。基台１１Ａおよびカバー１１Ｂは、それぞれ限定されるものではないが、ポリカーボネート、ポリプロピレン、ＡＢＳ樹脂、ポリスチレン、ポリエチレン、アクリル樹脂、ポリ塩化ビニル、ポリアミド（ナイロン）、ポリアセタール、ポリエチレンテレフタレート、ポリブチレンテレフタレート、ポリフェニレンオキシド、ポリベンゾイミダゾール、ポリアミド・イミド、ポリエーテルスルホン、ポリスルフォン、ポリエーテル・エーテルケトン、ポリフェニレン・スルフィド、ポリテトラフルオロエチレン、ポリクロロトリフルオロエチレン、ポリフッ化ビニリデン、ポリフッ化ビニル、ペルフルオロアルコキシフッ素樹脂、四フッ化エチレン・六フッ化プロピレン共重合体、エチレン・四フッ化エチレン共重合体、エチレン・クロロトリフルオロエチレン共重合体、ＰＬＡ樹脂等の材料を単独または併用し、射出成形や粉末圧縮成型、３Ｄプリンタによる造形、レーザー加工や切削加工などを併用し形成してもよく、カーボンファイバーやシリカ、その他、セラミックス、金属材料などを添加することもできる。図１には、基台１１Ａとカバー１１Ｂが分離された状態が描かれている。
【００１４】
図４に示すように、注射器９は、ホルダー８０と、注射針形成体１０と、注射器本体９０とを有している。注射針形成体１０は、その形成体本体１１の後端において、注射器本体９０の先端部９１に取り付けられる。また、注射針形成体１０はその先端側に、中空針１２等を保護するホルダー８０が着脱可能に装着される。
【００１５】
中空針１２は、先端の吐出口３１に長手方向に垂直な方向がある。図２には、吐出口３１の方向が矢印３１ａによって示されている。吐出口３１は長手方向に対して傾斜した勾配面に形成されており、中空針１２の長手方向に垂直な面において勾配面が向いている方向を吐出口３１の方向としている。
【００１６】
中空針１２の断面の外周形状にも長手方向に垂直な方向がある。図３には、中空針１２の断面の外周形状の方向、すなわち、楕円の長軸方向が直線３１ｂによって示されている。本実施例の中空針１２の断面の外周形状は楕円であり、楕円の長軸方向を外周形状の方向としている。
【００１７】
複数ある全ての中空針１２における吐出口３１の方向と外周形状の方向とは相対的に同一の方向関係に固定されている。本実施例では、全ての中空針１２において、吐出口３１の方向は、断面の外周形状の方向と一致している。
【００１８】
上記構成を有する中空針１２の先端が例えば人間の皮膚に挿入され、形成体本体１１に取り付けられた注射器本体９０への操作により吐出口３１から薬液を吐出する。
【００１９】
形成体本体１１は、内部空間のある円柱形状を有し、前方端が皮膚に当接する有孔当接面２２で覆われ、後方端には内部空間に連通する開口がある。後方端の開口に注射器本体９０が取り付けられる。
【００２０】
形成体本体１１には、軸方向に有孔当接面２２から内部空洞まで貫通する複数の針取付孔２１が配設されている。針取付孔２１の内周形状は中空針１２の外周形状に対応している。ここでは一例として、針取付孔２１の内周形状と中空針１２の外周形状は同一であり、針取付孔２１の内周形状が中空針１２の外周形状よりやや大きいものとする。したがって針取付孔２１の内周形状にも方向がある。針取付孔２１に中空針１２を挿入した状態では、針取付孔２１の方向と中空針１２の外周形状の方向が一致する。有孔当接面２２から見た複数の針取付孔２１はそれぞれに規定された方向に向けられている。
【００２１】
以上説明したように、本実施例によれば、中空針１２の吐出口３１と断面形状にそれぞれ方向性があり、それらの関係が固定されており、更に形成体本体１１の針取付孔２１にも所定の方向性があるので、形成体本体１１の針取付孔２１に中空針１２を挿入することで、各中空針１２の吐出口３１それぞれを容易に所定の方向に向けることができる。
【００２２】
また、本実施例では、中空針１２の断面形状が楕円（非円形）なので、針先の開口部を所望により広く構成することができ、薬液が広範囲に展開されやすくなる。その結果、同じ液量で今まで以上に薬の効果を発現することが期待される。また、少ない液量で今までと同等の薬の効果を発現することが期待される。
【００２３】
形成体本体１１を構成する基台１１Ａは、カバー１１Ｂと当接する表面部２７から外周面上に軸方向（中空針１２の長手方向）に所定長の複数の溝２３を有している。溝２３の終端には溝２３よりも中心側に深く掘られた凹部２４が設けられている。
【００２４】
一方、カバー１１Ｂは、基台１１Ａと当接する後端部２８から、基台１１Ａの溝２３と位置、形状、および大きさが対応する爪部２５を有している。爪部２５の先端には径方向内側に向けた突起部２６が設けられている。
【００２５】
爪部２５には弾性があり、溝２３に爪部２５を添わせて基台１１Ａの表面部２７とカバー１１Ｂの後端部２８を当接させると、突起部２６が凹部２４に嵌合し、基台１１Ａとカバー１１Ｂが係止されて形成体本体１１として一体化する。複数ある基台１１Ａの溝２３は表面部２７の外周に不等間隔に配置され、それと同数あるカバー１１Ｂの爪部２５は後端部２８において基台１１Ａの溝２３と同一の間隔に配置されている。
【００２６】
そのため、カバー１１Ｂは、基台１１Ａに対して所定の回転方向の位置でのみ取り付けることができるようになっている。針取付孔２１が例えば非対称あるいは不規則に配置され、基台１１Ａにおける針取付孔２１Ａとカバー１１Ｂにおける針取付孔２１Ｂとが回転方向の所定の相対位置でしか一致しない場合であっても、基台１１Ａとカバー１１Ｂとを所定の相対位置に位置付けることができる。
【００２７】
カバー１１Ｂは、基台１１Ａに中空針１２を取り付けるとき、中空針１２の把持を容易にして操作性を高める機能と、形成体本体１１に取り付けられた中空針１２のカバー１１Ｂの有孔当接面２２からの先端の露出長を調整する機能とを有する。カバー１１Ｂの厚さＬ１を規定することにより、中空針１２の先端の露出長を規定するこができる。中空針１２の露出長は注射時における中空針１２の皮膚への挿入深さを規定する重要なパラメータである。
【００２８】
以下、本実施例の注射針形成体１０の製造工程について説明する。
【００２９】
注射針形成体１０は、第１工程として、基台１１Ａの針取付孔２１に中空針１２を取り付け、第２工程として、基台１１Ａにカバー１１Ｂを取り付けることにより、製造される。
【００３０】
図５は、第１工程を説明するための図である。第１工程では基台１１Ａに中空針１２を取り付ける。
【００３１】
基台１１Ａを固定した状態で、外周面に接着剤を塗布した中空針１２を、基台１１Ａの針取付孔２１Ａに挿入する。もしくは、中空針１２を基台１１Ａの針取付孔２１Ａに挿入したあと、針取付孔２１Ａと中空針１２の間隙を埋めるように、接着剤を注入してもよい。その際、中空針１２の外周形状を針取付孔２１Ａの内周形状に合わせて挿入するので、中空針１２の外周形状の方向と所定の相対関係にある方向に向いた吐出口３１が所定の方向に向けられる。
【００３２】
そして、針取付孔２１Ａに挿入した中空針１２を表面部２７からの露出長Ｌ２の位置に固定し、その状態で接着剤を硬化させる。これにより、基台１１Ａに中空針１２が固定される。
【００３３】
なお、本実施例では、基台１１Ａに中空針１２を接着剤で固定する例を示しているが、どのような方法で固定してもよい。他の例として、融着（熱融着、超音波融着、高周波融着）で固定してもよい。また、別の固定方法の１形態として、針取付穴２１の径を中空針１２の外径以下とすることで、圧入し、固定する方法も採ることができる。
【００３４】
図１を用いて第２工程について説明する。第２工程では基台１１Ａにカバー１１Ｂを取り付ける。
【００３５】
基台１１Ａを固定した状態で、図１に示したように、基台１１Ａの溝２３に、カバー１１Ｂの爪部２５を沿わせ、基台１１Ａに取り付けられた中空針１２の位置に、カバー１１Ｂの針取付孔２１Ｂ一致させて、カバー１１Ｂの後端部２８と基台１１Ａの表面部２７とを当接させる。
【００３６】
図６は、第２工程後の注射針形成体１０の斜視図である。
【００３７】
基台１１Ａの表面部２７にカバー１１Ｂの後端部２８を当接させると、爪部２５の突起部２６が溝２３の凹部２４に嵌り、基台１１Ａにカバー１１Ｂが固定される。カバー１１Ｂの厚さがＬ１で、基台１１Ａの表面部２７からの中空針１２の露出長がＬ２なので、カバー１１Ｂの有孔当接面２２からの中空針１２の露出長はＬ３＝Ｌ１−Ｌ２となる。このＬ３は例えば１．０ｍｍ〜１．５ｍｍが好ましく、１．１〜１．３ｍｍが更に好ましい。
【００３８】
本発明による中空針１２は好ましくは外径が０．４ｍｍ以下であり、より好ましくは０．３ｍｍ以下である。
【００３９】
図７は、実施例１の注射針形成体１０を先端側から見た平面図である。
【００４０】
針取付孔２１に中空針１２を取り付けると、中空針１２の吐出口３１が有孔当接面２２の径方向の外側に向くように、有孔当接面２２における針取付孔が方向付けされている。中空針１２の吐出口３１が外側を向くので、薬液を広い範囲に供給することができる。
【００４１】
図８は、注射針形成体１０の断面図である。注射器本体９０には、その先端９１の外周に筒状のルアーロック部９２が形成されている。ルアーロック部９２は、内部にはねじ山が形成され、雌ねじとなっている。先端９１は先細りのテーパ状に形成されている。一方、基台１１Ａの内部空間３０は、注射器本体９０の先端９１と嵌合するように先開きのテーパ状に形成されている。基台１１Ａの後端には、その外周の一部を突出させたフランジ２５が複数形成されている。フランジ２５は、ルアーロック部９２の内部にねじ込まれ、螺合する。これにより、注射器本体９０に基台１１Ａが固定される。
【００４２】
実施例１では、中空針１２の先端の吐出口３１の方向と、中空針１２の外周形状の方向とが一致し、それらの方向が共に有孔当接面２２の径方向の外側に向いているが、本発明がこれに限定されることは無い。
【００４３】
変形例として、中空針１２の先端の吐出口３１の方向と、中空針１２の外周形状の方向とが直交していてもよい。図９は、実施例１の変形例の注射針形成体１０を先端側から見た平面図である。本変形例では、破線の直線３１ｂで示された中空針１２の外周形状の方向は有孔当接面２２の周方向を向き、破線の矢印３１ａで示された中空針１２の先端の吐出口３１の方向は、有孔当接面２２の径方向の外側を向いている。本変形例によれば有孔当接面２２の周方向に広い範囲で薬液を供給することができる。
【００４４】
なお、本実施例では、中空針１２の取付時の操作性を向上するために、形成体本体１１が基台１１Ａとカバー１１Ｂとで構成した例を示したが、本発明がこれに限定されることはない。他の例として、形成体本体１１を単体部材とした構成であってもよい。その場合、形成体本体１１は図６に示した基台１１Ａとカバー１１Ｂが一体化した形状とすればよい。一体型の形成体本体１１は上記第１工程のみで製造することができる。その際、中空針１２の先端から露出長Ｌ３の部分を把持すればよい。
【００４５】
また、本実施例の形成体本体１１は、針取付孔２１が有孔当接面２２から内部空間まで貫通するのみの構成であった。したがって、中空針１２の長手方向の取り付け位置は、製造を手作業で行う場合には作業員が、自動化の場合には製作機械が、図５に示した露出長Ｌ３を確認しながら位置合わせを行うことになる。しかし、本発明がこれに限定されることはない。他の例として、形成体本体１１が、針取付孔２１に挿入される中空針１２の液流路と形成体本体１１の内部空間とを連通させつつ中空針１２の後端の一部と当接して中空針１２の挿入深さを規定するストッパ部を有する構成としてもよい。中空針１２の断面形状が楕円なので、ストッパ部は中空針１２の後端における楕円の長軸方向の両端近傍あるいはどちらか一方の端部近傍で中空針１２と当接するようにするとよい。これによれば、楕円の中空針１２の後端における楕円の長軸方向端部をストッパ部に当接させるので、液流路をほとんど削減することなく、中空針１２の基台１１Ａへの深さの調整を容易にすることができる。
【００４６】
また、本実施例では、注射針形成体１０が複数（３本）の中空針１２を備える例を示したが、１本以上の中空針１２を備えていればよい。針取付孔２１は、中空針１２と同数形成されていればよい。
【実施例２】
【００４７】
実施例２による注射針形成体１０は、中空針１２の断面の外周形状、形成体本体１１の針取付孔２１の内周形状が実施例１とは異なる。
【００４８】
図１０は、実施例２による形成体本体１１を先端側から見た平面図である。図１１は、実施例２による中空針１２を先端側から見た平面図である。
【００４９】
形成体本体１１には、有孔当接面２２から内部空洞へ貫通する針取付孔２１が複数（図１０の例では３つ）設けられている。中空針１２の外周形状は涙形であり、涙形の頂点が、中空針１２の長手方向に垂直な断面における尖頂部である断面方向尖頂部３２をなしている。形成体本体１１の針取付孔２１の内周形状は中空針１２の外周形状に対応してやはり断面方向尖頂部３３を有している。形成体本体１１の有孔当接面２２が円形であり、針取付孔２１が内周形状の断面方向尖頂部３３を径方向の内側に向けて配設されている。
【００５０】
したがって、中空針１２および針取付孔２１の断面方向尖頂部３２、３３を有孔当接面２２の径方向の内側に向けるので、有孔当接面２２の面積を有孔に利用して中空針１２を配置することができる。
【００５１】
なお、本実施例において、中空針１２は、その先端が、断面方向尖頂部３２が中空針の長手方向に最も長くなるように、中空針１２の長手方向に対して傾斜した勾配面となっているものであってもよい。中空針１２の断面方向尖頂部３２に中空針１２自体のもっとも長い位置が来るので、中空針１２の先端をより鋭く尖らせ、皮膚へ挿入しやすくすることができる。
【００５２】
また、本実施例の中空針１２の断面方向尖頂部３２その先端が鋭角となっているが、本発明がこれに限定されることはない。他の例として、中空針１２の断面方向尖頂部３２は所定の曲率を有する曲線形状であってもよい。中空針１２の断面方向尖頂部３２を所定の面取り曲率で曲率面取りすることにより、中空針１２の先端に適度な強度を持たせることができる。
【００５３】
また、本実施例の注射針形成体１０において、基台１１Ａの針取付孔２１Ａは表面部２７から内部空間まで貫通するのみであるが、本発明がこれに限定されることはない。以下、変形例について説明する。
【００５４】
図１２は、変形例におけるストッパ部を備えた基台１１Ａを表面部２７側から見た平面図である。図１３は、変形例の基台１１ＡのＡ−Ａ断面図である。図１３には中空針１２が破線で示されている。基台１１Ａには、針取付孔２１Ａの尖頂部を含む一部を塞ぐストッパ部２９が設けられている。基台１１Ａは、針取付孔２１Ａに挿入される中空針１２の液流路と基台１１Ａの内部空間とを連通させつつ中空針１２の後端の断面方向尖頂部３２を含む一部と当接して中空針１２の挿入深さを規定するストッパ部を有する。本変形例では、ストッパ部２９は針取付孔２１Ａと内部空間３０の間に設けられている。針取付孔２１Ａに中空針１２を挿入していくと、後端の断面方向尖頂部３２近傍において中空針１２がストッパ部２９に突き当たる。その位置で中空針１２を固定すれば、中空針１２を所定の挿入深さに位置決めすることができる。
【００５５】
製造工程において、非円形の中空針１２の長手方向の後端における断面方向尖頂部３２を含む一部をストッパ部２９に当接させれば、中空針１２を形成体本体１１へ所望の深さに挿入できるので、中空針１２を所望の深さに容易に取り付けることができる。
【実施例３】
【００５６】
実施例３による注射針形成体１０は、中空針１２の断面の外周形状、形成体本体１１の針取付孔２１の内周形状が第１、２の実施例とは異なる。
【００５７】
図１４は、実施例３による形成体本体１１を先端側から見た平面図である。図１５は、実施例３による中空針１２を先端側から見た平面図である。
【００５８】
形成体本体１１には、有孔当接面２２から内部空間へ貫通する針取付孔２１が複数（図１４の例では６つ）設けられている。中空針１２の外周形状は二等辺三角形であり、その二等辺三角形の頂点が断面方向尖頂部３２をなしている。形成体本体１１の針取付孔２１の内周形状は中空針１２の外周形状に対応してやはり断面方向尖頂部３３を有している。形成体本体１１の有孔当接面２２が円形であり、針取付孔２１が内周形状の断面方向尖頂部３３を径方向の内側に向けて配設されている。
【００５９】
したがって、中空針１２および針取付孔２１の断面方向尖頂部３２、３３を有孔当接面２２の径方向の内側に向けるので、有孔当接面２２の面積を有効に利用して中空針１２を配置することができる。
【００６０】
なお、本実施例では、図１４に示したように、中空針１２の外周形状において、二等辺三角形の３つの角が鋭角である例を示したが、これに限定されることは無い。他の例として、各角を、所定の曲率を有する曲線形状としてもよい。中空針１２の断面方向の角を所定の面取り曲率で曲率面取りすることにより、中空針１２に適度な強度を持たせることができる。
【００６１】
上述した本発明の実施例は、本発明の説明のための例示であり、本発明の範囲をそれらの実施例にのみ限定する趣旨ではない。当業者は、本発明の要旨を逸脱することなしに、他の様々な態様で本発明を実施することができる。
【符号の説明】
【００６２】
１０…注射針形成体、１１…形成体本体、１１Ａ…基台、１１Ｂ…カバー、１２…中空針、２１…針取付孔、２１Ａ…針取付孔、２１Ｂ…針取付孔、２２…有孔当接面、２３…溝、２４…凹部、２５…爪部、２６…突起部、２７…表面部、２８…後端部、３０…内部空間、３１…吐出口、３１ａ…矢印、３１ｂ…直線、３２…断面方向尖頂部、３３…断面方向尖頂部、８０…ホルダー、９…注射器、９０…注射器本体、９１…先端部
【図１】
2019180835.tif 000003
【図２】
2019180835.tif 000004
【図３】
2019180835.tif 000005
【図４】
2019180835.tif 000006
【図５】
2019180835.tif 000007
【図６】
2019180835.tif 000008
【図７】
2019180835.tif 000009
【図８】
2019180835.tif 000010
【図９】
2019180835.tif 000011
【図１０】
2019180835.tif 000012
【図１１】
2019180835.tif 000013
【図１２】
2019180835.tif 000014
【図１３】
2019180835.tif 000015
【図１４】
2019180835.tif 000016
【図１５】
2019180835.tif 000017